(57)【要約】【課題】逆洗水槽保有型ろ過器の逆洗において十分な洗浄強度と洗浄水量とを確保することを可能としたろ過装置を提供すること。【解決手段】上方から原水室１、ろ材２及びろ過水室３に順次区画されたろ過槽１０及び前記ろ過槽１０の上部に配置された逆洗水槽２０を有する逆洗水槽保有型ろ過器３０を複数個備えたろ過装置であって、前記ろ過水室１と前記逆洗水槽２０とは開閉弁１１を備えた連通管６によって連通しており、前記原水室１とろ過器外部とは逆洗排水弁１２を備えた逆洗排水管７によって連通しており、前記ろ過器の逆洗水槽２０は隣接するろ過器の逆洗水槽２０と開閉弁１３を備えた連結配管１９によって連通していることを特徴とするろ過装置。【選択図】図１
2016107246.tif 000002
【特許請求の範囲】
【請求項１】
上方から原水室、ろ材及びろ過水室に順次区画されたろ過槽及び前記ろ過槽の上部に配置された逆洗水槽を有する逆洗水槽保有型ろ過器を複数個備えたろ過装置であって、
前記ろ過水室と前記逆洗水槽とは開閉弁を備えた連通管によって連通しており、
前記原水室とろ過器外部とは逆洗排水弁を備えた逆洗排水管によって連通しており、
前記ろ過器の逆洗水槽は隣接するろ過器の逆洗水槽と開閉弁を備えた連結配管によって連通している
ことを特徴とするろ過装置。
【請求項２】
請求項１に記載の逆洗水槽保有型ろ過器を複数個備えたろ過装置の運転方法であって、
逆洗を行うろ過器の逆洗水槽に貯留された逆洗水を前記ろ過槽に供給して前記ろ材を逆洗し、前記逆洗水槽の水位が設定値以下に下がったとき、前記連結配管によって連結された隣接する他の逆洗水槽保有型ろ過器の逆洗水槽内の逆洗水を、前記連結配管を通して逆洗水として供給することを特徴とするろ過装置の運転方法。
【発明の詳細な説明】
【技術分野】
【０００１】
本発明は、複数の逆洗水槽保有型ろ過器を有するろ過装置及びその運転方法に関する。
【背景技術】
【０００２】
従来、上水処理施設及び下水処理施設などの水処理施設においては水中の懸濁物等を除去するためにろ過装置を設けている。そして、ろ過装置は運転時間の経過に伴い懸濁物等の被ろ過物による目詰まりによってろ過性能が低下してくるため、このろ材を逆洗して再生する必要がある。
従来、ろ材を再生する方法としては種々の方法が提案されている。
特許文献１には複数のろ過装置を組み合わせて系列化し、一つのろ過装置について逆洗処理が必要になったとき、系列内の他のろ過装置からろ過水を逆洗水として前記一つのろ過装置に供給して逆洗を行うことが記載されている。
特許文献２にはろ過装置内に逆洗水を保有する貯水室を備えた自己洗浄型のろ過装置が記載されている。
【０００３】
特許文献２に記載のろ過装置を図４に示す。
ろ過装置１１はろ過タンク１２、ろ過タンク１２の上部に設けられた逆洗タンク１３、原水室１５、ろ過層１６及びろ水室１７、逆洗タンク１３とろ水室１７とを連通する連通管１８、集水管２１、調圧タンク２４、空気圧縮機２６、圧縮空気配管２７を備えている。逆洗に際しては、逆洗排水弁１９を開けると逆洗水Ｒは連通管１８、ろ水室１７、ろ過層１６、原水室１５及び集水管２１を流れてろ材が再生される。このとき、調圧タンクの作用により、逆洗タンク１３内の水位が変動しても逆洗水の上昇速度は逆洗初期から逆洗終期にわたって一定に保たれる。
【先行技術文献】
【特許文献】
【０００４】
【特許文献１】特開２０１３−１６６０８７号公報
【特許文献２】特公昭６１−３０８０９号公報
【発明の概要】
【発明が解決しようとする課題】
【０００５】
特許文献２に記載のものはろ過装置自体が逆洗水槽を保有するものであり、特許文献１記載のものにおけるような複雑な配管構成を必要としない点で簡便なものである。しかしながら、特許文献２記載のものは圧縮空気源、圧縮空気配管及び水封調圧タンクのような設備を別途必要とするという課題を有する。
本発明は、逆洗水槽を装置の上部に有するろ過装置を用い、十分な洗浄強度と洗浄水量とを確保することを可能としたろ過設備を提供することを目的とする。
【課題を解決するための手段】
【０００６】
本発明者らは、上記の課題は、複数の逆洗水槽保有型ろ過器を用いて、隣接する逆洗水槽保有型ろ過装置の逆洗水槽同士を、開閉弁を備えた連結配管で連結することによって上記課題を解決することができることを見出して本発明を完成した。
すなわち、本発明の構成は次に記載する通りのものである。
【０００７】
（１）上方から原水室、ろ材及びろ過水室に順次区画されたろ過槽及び前記ろ過槽の上部に配置された逆洗水槽を有する逆洗水槽保有型ろ過器を複数個備えたろ過装置であって、
前記ろ過水室と前記逆洗水槽とは開閉弁を備えた連通管によって連通しており、
前記原水室とろ過器外部とは逆洗排水弁を備えた逆洗排水管によって連通しており、
前記ろ過器の逆洗水槽は隣接するろ過器の逆洗水槽と開閉弁を備えた連結配管によって連通している
ことを特徴とするろ過装置。
（２）上記（１）に記載の逆洗水槽保有型ろ過器を複数個備えたろ過装置の運転方法であって、
逆洗を行うろ過器の逆洗水槽に貯留された逆洗水を前記ろ過槽に供給して前記ろ材を逆洗し、前記逆洗水槽の水位が設定値以下に下がったとき、前記連結配管によって連結された隣接する他の逆洗水槽保有型ろ過器の逆洗水槽内の逆洗水を、前記連結配管を通して逆洗水として供給することを特徴とするろ過装置の運転方法。
【発明の効果】
【０００８】
逆洗水槽保有型ろ過装置を逆洗するに際して、十分な洗浄強度と洗浄水量とを確保することができる。
【図面の簡単な説明】
【０００９】
【図１】本発明の実施形態において用いる逆洗水槽保有型ろ過器の構造を示す図である。
【図２】図１に示した逆洗水槽保有型ろ過器の使用状態を示す図である。
【図３Ａ】ろ過器Ａ及びろ過器Ｂが共にろ過操作を行っている状態を示す図である。
【図３Ｂ】ろ過器Ａが逆洗操作を行い、ろ過器Ｂが待機状態にある状態を示す図である。
【図３Ｃ】ろ過器Ａが逆洗操作を行い、ろ過器Ｂがろ過器Ａに洗浄補給水を供給している状態を示す図である。
【図３Ｄ】ろ過器Ａ及びろ過器Ｂがろ過操作を再開したときの状態を示す図である。
【図３Ｅ】ろ過器Ａ及びろ過器Ｂが共にろ過操作を行っている状態を示す図である。
【図３Ｆ】ろ過器Ｂが逆洗操作を行い、ろ過器Ａが待機状態にある状態を示す図である。
【図３Ｇ】ろ過器Ｂが逆洗操作を行い、ろ過器Ａがろ過器Ｂに洗浄補給水を供給している状態を示す図である。
【図３Ｈ】ろ過器Ａ及びろ過器Ｂがろ過操作を再開したときの状態を示す図である。
【図４】従来の逆洗水槽保有型ろ過器の構造を示す図である。
【発明を実施するための形態】
【００１０】
以下に、本発明を実施するための形態を図面に基づいて説明する。なお、以下の説明はこの発明における実施の形態を例示するものであって、この特許請求の範囲を限定するものではない。
【００１１】
本発明のろ過装置で使用する逆洗水槽保有型ろ過器の構成例を図１に基づいて説明する。
ろ過器３０は、ろ過槽１０とろ過槽１０の上方に配置された逆洗水槽２０とを備えている。
ろ過槽１０は上方から原水室１、ろ材２及びろ過水室３に順次区画されている。
逆洗水槽２０はろ過槽１０の上部に配置されており、ろ過槽１０のろ過水室３からのろ過水を逆洗水として貯留する。逆洗水槽２０の上限水位に達してオーバーフローした逆洗水は、浄水管１７を経由して浄水として排出される。
ろ過水室３と逆洗水槽２０とは開閉弁１１を備えた連通管６によって連通している。原水室１は逆洗排水管７に設けられた逆洗排水弁１２を介してろ過器３０の外部に配置された逆洗排水槽１８に連通している。また、逆洗水槽２０は隣接する他のろ過器の逆洗水槽と開閉弁１３を備えた連結配管１９で連結されている。
逆洗水槽２０には、上限と下限の水位を検知する水位計８と原水室との差圧を計測する差圧計１６が設置されている。
【００１２】
（ろ過運転時）
図２にろ過運転時のろ過器の状態を示す。
通常のろ過運転時には、連通管６、逆洗排水管７及び連結配管１９の開閉弁１１、１３及び逆洗排水弁１２は以下の状態とされる。
ろ過水室３と逆洗水槽２０とを連通する連通管６の開閉弁１１          ：  開放
原水室１とろ過器３０の外部とを連通する逆洗排水管７の逆洗排水弁１２：  閉止
逆洗水槽２０同士を連通する連結配管１９の開閉弁１３                ：  閉止
開閉弁及び逆洗排水弁を上記の状態とすると、原水室１に供給された原水は原水室１からろ過槽１０内を下降してろ材２及びろ過水室３を通過して懸濁物等がろ過され、次いでろ過水が逆洗水槽２０に逆洗水として貯留される。逆洗水槽２０内の逆洗水が所定の貯留量を超えると逆洗水槽２０の浄水管１７から浄水として排出される。
【００１３】
（逆洗時）
原水室１と逆洗水槽２０との差圧を計測する差圧計１６が所定の圧力差を超えると逆洗操作を開始するために、連通管６及び連結配管１９の開閉弁１１、１３並びに逆洗排水管７の逆洗排水弁１２は以下の状態とされる。
ろ過水室３と逆洗水槽２０とを連通する連通管６の開閉弁１１          ：  開放
原水室１とろ過器３０の外部とを連通する逆洗排水管７の逆洗排水弁１２：  開放
逆洗水槽２０同士を連通する連結配管１９の開閉弁１３                ：  閉止後開放
開閉弁１１、１３及び逆洗排水弁１２を上記の状態とすると、ろ過操作は行われず、逆洗水槽２０から連通管６の開閉弁１１を通って逆洗水がろ過水室３に供給される。逆洗水はろ材２を逆洗して原水室１及び逆洗排水弁１２を通って洗浄排水槽１８に排出される。
【００１４】
逆洗操作によって逆洗水槽２０の水位が低下すると逆洗水槽２０内の水圧が低下するため、洗浄強度が弱まってくる。そして、逆洗水槽２０の水位が所定値以下となった時、逆洗水槽同士を連通する連結配管１９の開閉弁１３を閉止状態から開放状態に切り替えると、他のろ過器の逆洗水槽から逆洗水が供給される。これにより、洗浄水量を確保することができ、洗浄強度が回復する。
開閉弁１３の開閉は、手動で行ってもよいが、既設の水位計あるいは別途設置した水位計と連動して自動的に開閉するようにすることも好ましい。
【００１５】
図３は２台のろ過器（ろ過器Ａ及びろ過器Ｂ）を連結したろ過装置の運転方法を模式的に示したものである。
２台のろ過器のろ過工程及び逆洗工程について図３Ａ〜図３Ｈに基づいて説明する。
【００１６】
［図３Ａ］
図３Ａはろ過器Ａ及びろ過器Ｂは共にろ過操作を行っている状態を示している。
ろ過器Ａ及びろ過器Ｂにおいてはろ過槽１０から排出されるろ過水が逆洗水槽２０に送られ、逆洗水槽２０を満たしてオーバーフローして浄水として排出される。
【００１７】
［図３Ｂ］
ろ過操作の経過に伴ってろ材が目詰まりを起こしてろ過効率が低下してくる。そこで、ろ過器Ａについて逆洗排水弁１２を開放して逆洗操作を開始する。
図３Ｂはろ過器Ａの逆洗操作がある程度進んだ状態を示している。逆洗操作の経過に伴って逆洗水槽２０内の逆洗水の水位が低下してくる。図３Ｂに示すように水位が連結配管１９と同じレベルにまで下がったとき、連結配管１９の開閉弁１３を開放する。このとき、ろ過器Ｂの開閉弁１１を閉止してろ過操作を停止し、ろ過器Ｂを待機状態とする。
【００１８】
［図３Ｃ］  
図３Ｃはろ過器Ａが逆洗中であり、ろ過器Ｂが待機中で、ろ過器Ｂの逆洗水槽から連結配管１９を通してろ過器Ａに洗浄補給水が供給されている状態を示す図である。
ろ過器Ｂから洗浄補給水がろ過器Ａの逆洗水槽に供給されることにより、ろ過器Ａの逆洗水槽の水位が上昇し、十分な洗浄強度と洗浄水量が確保される。
【００１９】
［図３Ｄ］  
ろ過器Ａの逆洗水槽の水位とろ過器Ｂの逆洗水槽の水位が等しくなったとき、連結配管１９の開閉弁１３を閉止すると共にろ過器Ａ及びろ過器Ｂの逆洗排水弁１２を閉止し、ろ過器Ａ及びろ過器Ｂの原水室に原水を供給してろ過操作を再開する。
【００２０】
［図３Ｅ］  
図３Ｄに示した状態からろ過操作を進めていくと、図３Ｅに示した状態となる。これは図３Ａに示した状態と同じものである。
ろ過器Ａ及びろ過器Ｂにおいてはろ過槽１０から排出されるろ過水が逆洗水槽２０に送られ、逆洗水槽２０を満たしてオーバーフローして浄水として排出される。
【００２１】
［図３Ｆ］  
ろ過操作の経過に伴って今度はろ過器Ｂのろ材２が目詰まりを起こしてろ過効率が低下してくる。そこで、ろ過器Ｂについて逆洗排水弁１２を開放して逆洗操作を開始する。
図３Ｆはろ過器Ｂの逆洗操作がある程度進んだ状態を示している。逆洗操作の経過に伴って逆洗水槽２０内の逆洗水の水位が低下してくる。図３Ｆに示すように水位が連結配管１９と同じレベルにまで下がったとき、連結配管１９の開閉弁１３を開放する。このとき、ろ過器Ａの開閉弁１１を閉止してろ過操作を停止し、ろ過器Ａを待機状態とする。
【００２２】
［図３Ｇ］  
図３Ｇはろ過器Ｂが逆洗中であり、ろ過器Ａが待機中で、ろ過器Ａの逆洗水槽２０から連結配管１９を通してろ過器Ｂに洗浄補給水が供給されている状態を示す図である。
ろ過器Ａから洗浄補給水がろ過器Ｂの逆洗水槽２０に供給されることにより、ろ過器Ｂの逆洗水槽２０の水位が上昇し、十分な洗浄強度と洗浄水量が確保される。
【００２３】
［図３Ｈ］  
ろ過器Ａの逆洗水槽２０の水位とろ過器Ｂの逆洗水槽２０の水位が等しくなったとき、連結配管１９の開閉弁１３を閉止すると共にろ過器Ａ及びろ過器Ｂの逆洗排水弁１２を閉止し、ろ過器Ａ及びろ過器Ｂの原水室に原水を供給してろ過操作を再開する。
以降の操作は前記図３Ａ〜図３Ｈに示した操作を繰り返す。
【符号の説明】
【００２４】
（図１〜３）
１  原水室
２  ろ材
３  ろ過水室
６  連通管
７  逆洗排水管
８  水位計
１０  ろ過槽
１１  開閉弁
１２  逆洗排水弁
１３  開閉弁
１６  差圧計
１７  浄水管
１８  洗浄排水槽
１９  連結配管
２０  逆洗水槽
３０  ろ過器
（図４）
１１  ろ過装置
１２  ろ過タンク
１３  逆洗タンク
１５  原水室
１６  ろ過層
１７  ろ水室
１８  連通管
１９  逆洗排水弁
２１  集水管
２４  調圧タンク
２６  空気圧縮機
２７  圧縮空気配管
Ｒ  逆洗水
【図１】
2016107246.tif 000003
【図２】
2016107246.tif 000004
【図３Ａ】
2016107246.tif 000005
【図３Ｂ】
2016107246.tif 000006
【図３Ｃ】
2016107246.tif 000007
【図３Ｄ】
2016107246.tif 000008
【図３Ｅ】
2016107246.tif 000009
【図３Ｆ】
2016107246.tif 000010
【図３Ｇ】
2016107246.tif 000011
【図３Ｈ】
2016107246.tif 000012
【図４】
2016107246.tif 000013